(57)【要約】【課題】マクロセルからフェムトセルへの迅速なハンドオーバを実現することが可能な通信システムを得る。【解決手段】通信システム１は、マクロセル基地局１１に関する識別情報と、フェムトセル基地局２に関する識別情報と、フェムトセル基地局２へのアクセスが許可されている移動端末１４に関する識別情報との対応関係を示す対応関係情報４４を保持する管理サーバ９と、マクロセル１３の周辺セルに関する情報を記述した周辺セルリスト２４を保持する制御装置８とを備え、管理サーバ９は、フェムトセル基地局２へのアクセスが許可されている移動端末１４がマクロセル１３内に在圏しているか否かに関する情報に基づいて、周辺セルリスト２４の編集情報を作成し、制御装置８は、編集情報に基づいて周辺セルリスト２４を編集し、マクロセル基地局１１は、制御装置８によって編集された周辺セルリスト２４を、マクロセル１３内に在圏している移動端末１４に対して報知する。【選択図】図１
2011091629.tif 000002
【特許請求の範囲】
【請求項１】
第１のセルを通信エリアとする第１の基地局と、
前記第１のセルとの間でハンドオーバが可能な第２のセルを通信エリアとする第２の基地局と、
前記第１の基地局に関する識別情報と、前記第２の基地局に関する識別情報と、前記第２の基地局へのアクセスが許可されている移動端末に関する識別情報との対応関係を示す対応関係情報を保持する管理サーバと、
前記第１のセルの周辺セルに関する情報を記述した周辺セルリストを保持する制御装置と、
を備え、
前記管理サーバは、前記第２の基地局へのアクセスが許可されている移動端末が前記第１のセル内に在圏しているか否かに関する情報に基づいて、前記周辺セルリストの編集情報を作成し、
前記制御装置は、前記編集情報に基づいて前記周辺セルリストを編集し、
前記第１の基地局は、前記制御装置によって編集された前記周辺セルリストを、前記第１のセル内に在圏している移動端末に対して報知する、通信システム。
【請求項２】
前記管理サーバは、さらに前記第２の基地局の電源状態に関する情報に基づいて、前記編集情報を作成する、請求項１に記載の通信システム。
【請求項３】
前記管理サーバは、前記第２の基地局へのアクセスが許可されている移動端末が前記第１のセル内に在圏しており、かつ、前記周辺セルリストに前記第２のセルに関する情報が含まれていない場合には、前記第２のセルに関する情報を前記周辺セルリストに追加させる旨の前記編集情報を作成する、請求項１又は２に記載の通信システム。
【請求項４】
前記周辺セルリストに記述可能な周辺セルの数は所定数以下であり、
前記管理サーバは、前記周辺セルリストに記述されている周辺セルの数が前記所定数未満である場合に、前記第２のセルに関する情報を前記周辺セルリストに追加させる旨の前記編集情報を作成する、請求項３に記載の通信システム。
【請求項５】
前記周辺セルリストに記述可能な周辺セルの数は所定数以下であり、
前記周辺セルリストに記述されている周辺セルの数が前記所定数である場合は、前記管理サーバは前記編集情報を前記制御装置に対して送信せず、前記第１の基地局は、前記第１のセルの周辺セルとして前記第２のセルが存在する旨を示す情報を、前記第１のセル内に在圏している前記第２の基地局へのアクセスが許可されている移動端末に対して、当該移動端末と前記第１の基地局との間の専用チャネルを用いて送信する、請求項３に記載の通信システム。
【請求項６】
前記管理サーバは、前記第２の基地局へのアクセスが許可されている移動端末が前記第１のセル内に在圏しておらず、かつ、前記周辺セルリストに前記第２のセルに関する情報が含まれている場合には、前記第２のセルに関する情報を前記周辺セルリストから削除させる旨の前記編集情報を作成する、請求項１又は２に記載の通信システム。
【請求項７】
前記管理サーバは、前記第２の基地局へのアクセスが許可されている移動端末による前記第１のセルから前記第２のセルへのハンドオーバが成功し、かつ、前記周辺セルリストに前記第２のセルに関する情報が含まれている場合には、前記第２のセルに関する情報を前記周辺セルリストから削除させる旨の前記編集情報を作成する、請求項１又は２に記載の通信システム。
【請求項８】
前記周辺セルリストに記述可能な周辺セルの数は所定数以下であり、
前記管理サーバは、前記周辺セルリストに記述されている周辺セルの数が前記所定数であり、かつ、前記第２のセルとは異なるセルに関する情報を前記周辺セルリストに追加させる場合に、前記第２のセルに関する情報を前記周辺セルリストから削除させる旨の前記編集情報を作成する、請求項６又は７に記載の通信システム。
【請求項９】
前記第２の基地局は前記第１のセルを検知し、
前記第２の基地局によって検知された前記第１のセルに関する識別情報と、前記第２の基地局に関する識別情報と、前記第２の基地局へのアクセスが許可されている移動端末に関する識別情報とが、前記第２の基地局から前記管理サーバに送信されることにより、前記管理サーバは前記対応関係情報を作成する、請求項１〜８のいずれか一つに記載の通信システム。
【請求項１０】
前記第２の基地局の設置場所に関する位置情報に基づいて前記第１の基地局が特定され、
前記位置情報に基づいて特定された前記第１の基地局に関する識別情報と、前記第２の基地局に関する識別情報と、前記第２の基地局へのアクセスが許可されている移動端末に関する識別情報と、に基づいて、前記対応関係情報が作成される、請求項１〜８のいずれか一つに記載の通信システム。
【請求項１１】
第１のセルを通信エリアとする第１の基地局と、
前記第１のセルとの間でハンドオーバが可能な第２のセルを通信エリアとする第２の基地局と、
を備える通信システムに用いられる制御装置であって、
前記第１のセルの周辺セルに関する情報を記述した周辺セルリストを保持する保持手段と、
前記第２の基地局へのアクセスが許可されている移動端末が前記第１のセル内に在圏しているか否かに関する情報に基づいて作成された、前記周辺セルリストの編集情報を受信する受信手段と、
前記編集情報に基づいて前記周辺セルリストを編集する編集手段と、
前記編集手段によって編集された前記周辺セルリストを、前記第１の基地局に対して送信する送信手段と、
を備える、制御装置。
【請求項１２】
第１のセルを通信エリアとする第１の基地局と、
前記第１のセルとの間でハンドオーバが可能な第２のセルを通信エリアとする第２の基地局と、
前記第１のセルの周辺セルに関する情報を記述した周辺セルリストを保持する制御装置と、
を備える通信システムに用いられる管理サーバであって、
前記第１の基地局に関する識別情報と、前記第２の基地局に関する識別情報と、前記第２の基地局へのアクセスが許可されている移動端末に関する識別情報との対応関係を示す対応関係情報を保持する保持手段と、
前記第２の基地局へのアクセスが許可されている移動端末が前記第１のセル内に在圏しているか否かに関する情報を受信する受信手段と、
前記受信手段によって受信した前記情報に基づいて、前記対応関係情報を編集するとともに、前記周辺セルリストの編集情報を作成する編集手段と、
前記編集手段によって作成された前記編集情報を前記制御装置に対して送信する送信手段と、
を備える、管理サーバ。
【請求項１３】
第１のセルを通信エリアとする第１の基地局と、
前記第１のセルとの間でハンドオーバが可能な第２のセルを通信エリアとする第２の基地局と、
を備える通信システムに用いられる制御装置に搭載されるコンピュータを、
前記第１のセルの周辺セルに関する情報を記述した周辺セルリストを保持する保持手段と、
前記第２の基地局へのアクセスが許可されている移動端末が前記第１のセル内に在圏しているか否かに関する情報に基づいて作成された、前記周辺セルリストの編集情報を受信する受信手段と、
前記編集情報に基づいて前記周辺セルリストを編集する編集手段と、
前記編集手段によって編集された前記周辺セルリストを、前記第１の基地局に対して送信する送信手段と、
として機能させる、プログラム。
【請求項１４】
第１のセルを通信エリアとする第１の基地局と、
前記第１のセルとの間でハンドオーバが可能な第２のセルを通信エリアとする第２の基地局と、
前記第１のセルの周辺セルに関する情報を記述した周辺セルリストを保持する制御装置と、
を備える通信システムに用いられる管理サーバに搭載されるコンピュータを、
前記第１の基地局に関する識別情報と、前記第２の基地局に関する識別情報と、前記第２の基地局へのアクセスが許可されている移動端末に関する識別情報との対応関係を示す対応関係情報を保持する保持手段と、
前記第２の基地局へのアクセスが許可されている移動端末が前記第１のセル内に在圏しているか否かに関する情報を受信する受信手段と、
前記受信手段によって受信した前記情報に基づいて、前記対応関係情報を編集するとともに、前記周辺セルリストの編集情報を作成する編集手段と、
前記編集手段によって作成された前記編集情報を前記制御装置に対して送信する送信手段と、
として機能させる、プログラム。
【請求項１５】
第１のセルを通信エリアとする第１の基地局と、
前記第１のセルとの間でハンドオーバが可能な第２のセルを通信エリアとする第２の基地局と、
を備える通信システムにおける通信方法であって、
（Ａ）前記第１の基地局に関する識別情報と、前記第２の基地局に関する識別情報と、前記第２の基地局へのアクセスが許可されている移動端末に関する識別情報との対応関係を示す対応関係情報を保持するステップと、
（Ｂ）前記第１のセルの周辺セルに関する情報を記述した周辺セルリストを保持するステップと、
（Ｃ）前記第２の基地局へのアクセスが許可されている移動端末が前記第１のセル内に在圏しているか否かに関する情報に基づいて、前記周辺セルリストの編集情報を作成するステップと、
（Ｄ）前記編集情報に基づいて、前記ステップ（Ｂ）で保持している前記周辺セルリストを編集するステップと、
（Ｅ）前記ステップ（Ｄ）で編集された前記周辺セルリストを、前記第１のセル内に在圏している移動端末に対して報知するステップと、
を備える、通信方法。
【発明の詳細な説明】
【技術分野】
【０００１】
本発明は、通信システム、制御装置、管理サーバ、プログラム、及び通信方法に関する。
【背景技術】
【０００２】
隣接するセル間でのハンドオーバを迅速に行うべく、マクロセル基地局は、自身のマクロセル内に在圏する移動端末に対して、共通チャネルを用いて周辺セルリストを報知する。周辺セルリストには、そのマクロセルの周辺に存在するセル（周辺セル）に関する情報が記述されている。ここで、周辺セルリストに記述できる周辺セルの数には、一定の上限値（一般的には２５６個）が定められている。
【０００３】
また、近年、電波不感地対策の一つとして、半径が数メートルないし数十メートル程度の極小セル（以下「フェムトセル」と称す）を通信エリアとする小型基地局（以下「フェムトセル基地局」と称す）が普及しつつある。フェムトセル基地局は有線通信回線の終端装置を介して固定通信網に接続され、固定通信網はゲートウェイを介して移動体通信網に接続される。従って、電波不感地内に位置する移動端末はフェムトセル基地局及び固定通信網を介して移動体通信網に接続され、その結果、電波不感地内においても移動端末による通信が可能となる。
【０００４】
なお、下記特許文献１には、フェムトセル基地局のＩＤ情報を含む接続情報を、マクロセル基地局から移動端末に対して個別チャネルを用いて通知する通信システムが開示されている。
【先行技術文献】
【特許文献】
【０００５】
【特許文献１】特開２００８−２７８２６４号公報
【発明の概要】
【発明が解決しようとする課題】
【０００６】
マクロセルからフェムトセルへのハンドオーバを迅速に行うためには、周辺セルリストには、周辺のマクロセルのみならずフェムトセルをも含めて記述する必要がある。ここで、上記の通り周辺セルリストに記述できる周辺セルの数には、一定の上限値が定められている。そのため、フェムトセル基地局の普及が進むと、あるマクロセル内又はその近隣に、周辺セルリストに記述可能な上限値を超える膨大な数のフェムトセル基地局が設置される事態が見込まれる。この場合、周辺セルリストに記述されないフェムトセル基地局に対しては、ハンドオーバを迅速に行うことが困難となる。
【０００７】
本発明はかかる事情に鑑みて成されたものであり、マクロセルからフェムトセルへの迅速なハンドオーバを実現することが可能な、通信システム、制御装置、管理サーバ、プログラム、及び通信方法を得ることを目的とするものである。
【課題を解決するための手段】
【０００８】
本発明の第１の態様に係る通信システムは、第１のセルを通信エリアとする第１の基地局と、前記第１のセルとの間でハンドオーバが可能な第２のセルを通信エリアとする第２の基地局と、前記第１の基地局に関する識別情報と、前記第２の基地局に関する識別情報と、前記第２の基地局へのアクセスが許可されている移動端末に関する識別情報との対応関係を示す対応関係情報を保持する管理サーバと、前記第１のセルの周辺セルに関する情
報を記述した周辺セルリストを保持する制御装置と、を備え、前記管理サーバは、前記第２の基地局へのアクセスが許可されている移動端末が前記第１のセル内に在圏しているか否かに関する情報に基づいて、前記周辺セルリストの編集情報を作成し、前記制御装置は、前記編集情報に基づいて前記周辺セルリストを編集し、前記第１の基地局は、前記制御装置によって編集された前記周辺セルリストを、前記第１のセル内に在圏している移動端末に対して報知することを特徴とするものである。
【０００９】
第１の態様に係る通信システムによれば、管理サーバは、第２の基地局へのアクセスが許可されている移動端末が第１のセル内に在圏しているか否かに関する情報に基づいて、周辺セルリストの編集情報を作成する。そして、制御装置は、編集情報に基づいて周辺セルリストを編集する。このように、制御装置によって周辺セルリストを必要に応じて編集することにより、マクロセルからハンドオーバされる可能性が高いフェムトセルを優先的に周辺セルリストに記述することができるため、マクロセルからフェムトセルへの迅速なハンドオーバを実現することが可能となる。
【００１０】
本発明の第２の態様に係る通信システムは、第１の態様に係る通信システムにおいて特に、前記管理サーバは、さらに前記第２の基地局の電源状態に関する情報に基づいて、前記編集情報を作成することを特徴とするものである。
【００１１】
第２の態様に係る通信システムによれば、管理サーバは、第２の基地局へのアクセスが許可されている移動端末が第１のセル内に在圏しているか否かに関する情報のみならず、第２の基地局の電源状態に関する情報をも参照することにより、編集情報を作成する。従って、電源がオフ状態の第２の基地局に関する情報が周辺セルリストに記述されることを回避することが可能となる。
【００１２】
本発明の第３の態様に係る通信システムは、第１又は第２の態様に係る通信システムにおいて特に、前記管理サーバは、前記第２の基地局へのアクセスが許可されている移動端末が前記第１のセル内に在圏しており、かつ、前記周辺セルリストに前記第２のセルに関する情報が含まれていない場合には、前記第２のセルに関する情報を前記周辺セルリストに追加させる旨の前記編集情報を作成することを特徴とするものである。
【００１３】
第３の態様に係る通信システムによれば、管理サーバは、第２の基地局へのアクセスが許可されている移動端末が第１のセル内に在圏しており、かつ、周辺セルリストに第２のセルに関する情報が含まれていない場合には、第２のセルに関する情報を周辺セルリストに追加させる旨の編集情報を作成する。従って、第１のセルからハンドオーバされる可能性が高い第２のセルに関する情報を、優先的に周辺セルリストに記述することが可能となる。
【００１４】
本発明の第４の態様に係る通信システムは、第３の態様に係る通信システムにおいて特に、前記周辺セルリストに記述可能な周辺セルの数は所定数以下であり、前記管理サーバは、前記周辺セルリストに記述されている周辺セルの数が前記所定数未満である場合に、前記第２のセルに関する情報を前記周辺セルリストに追加させる旨の前記編集情報を作成することを特徴とするものである。
【００１５】
第４の態様に係る通信システムによれば、管理サーバは、周辺セルリストに記述されている周辺セルの数が所定数未満である場合に、第２のセルに関する情報を周辺セルリストに追加させる旨の編集情報を作成する。周辺セルリストに空き枠が無くなるまでは周辺セルに関する情報を単純に追加していくことにより、処理の単純化を図ることが可能となる。
【００１６】
本発明の第５の態様に係る通信システムは、第３の態様に係る通信システムにおいて特に、前記周辺セルリストに記述可能な周辺セルの数は所定数以下であり、前記周辺セルリストに記述されている周辺セルの数が前記所定数である場合は、前記管理サーバは前記編集情報を前記制御装置に対して送信せず、前記第１の基地局は、前記第１のセルの周辺セルとして前記第２のセルが存在する旨を示す情報を、前記第１のセル内に在圏している前記第２の基地局へのアクセスが許可されている移動端末に対して、当該移動端末と前記第１の基地局との間の専用チャネルを用いて送信することを特徴とするものである。
【００１７】
第５の態様に係る通信システムによれば、周辺セルリストに記述されている周辺セルの数が所定数である場合は、第１の基地局は、第１のセルの周辺セルとして第２のセルが存在する旨を示す情報を、第２の基地局へのアクセスが許可されている移動端末に対して、専用チャネルを用いて送信する。従って、周辺セルリストに空き枠が無い場合であっても、専用チャネルを用いることにより、第１のセルの周辺セルとして第２のセルが存在する旨を、第１の基地局に報知することが可能となる。
【００１８】
本発明の第６の態様に係る通信システムは、第１又は第２の態様に係る通信システムにおいて特に、前記管理サーバは、前記第２の基地局へのアクセスが許可されている移動端末が前記第１のセル内に在圏しておらず、かつ、前記周辺セルリストに前記第２のセルに関する情報が含まれている場合には、前記第２のセルに関する情報を前記周辺セルリストから削除させる旨の前記編集情報を作成することを特徴とするものである。
【００１９】
第６の態様に係る通信システムによれば、管理サーバは、第２の基地局へのアクセスが許可されている移動端末が第１のセル内に在圏しておらず、かつ、周辺セルリストに第２のセルに関する情報が含まれている場合には、第２のセルに関する情報を周辺セルリストから削除させる旨の編集情報を作成する。このように、第１のセルからハンドオーバされる可能性が低い第２のセルに関する情報を周辺セルリストから削除することにより、周辺セルリストに空き枠を確保することが可能となる。
【００２０】
本発明の第７の態様に係る通信システムは、第１又は第２の態様に係る通信システムにおいて特に、前記管理サーバは、前記第２の基地局へのアクセスが許可されている移動端末による前記第１のセルから前記第２のセルへのハンドオーバが成功し、かつ、前記周辺セルリストに前記第２のセルに関する情報が含まれている場合には、前記第２のセルに関する情報を前記周辺セルリストから削除させる旨の前記編集情報を作成することを特徴とするものである。
【００２１】
第７の態様に係る通信システムによれば、管理サーバは、第２の基地局へのアクセスが許可されている移動端末による第１のセルから第２のセルへのハンドオーバが成功し、かつ、周辺セルリストに第２のセルに関する情報が含まれている場合には、第２のセルに関する情報を周辺セルリストから削除させる旨の編集情報を作成する。このように、第１のセルから第２のセルへのハンドオーバがすでに成功した結果、第１のセルからハンドオーバされる可能性が低くなった第２のセルに関する情報を、周辺セルリストから削除することにより、周辺セルリストに空き枠を確保することが可能となる。
【００２２】
本発明の第８の態様に係る通信システムは、第６又は第７の態様に係る通信システムにおいて特に、前記周辺セルリストに記述可能な周辺セルの数は所定数以下であり、前記管理サーバは、前記周辺セルリストに記述されている周辺セルの数が前記所定数であり、かつ、前記第２のセルとは異なるセルに関する情報を前記周辺セルリストに追加させる場合に、前記第２のセルに関する情報を前記周辺セルリストから削除させる旨の前記編集情報を作成することを特徴とするものである。
【００２３】
第８の態様に係る通信システムによれば、管理サーバは、周辺セルリストに記述されている周辺セルの数が所定数であり、かつ、第２のセルとは異なるセルに関する情報を周辺セルリストに追加させる場合に、第２のセルに関する情報を周辺セルリストから削除させる旨の編集情報を作成する。従って、周辺セルリストに空き枠が存在する場合には、周辺セルリストからのセル情報の削除処理を行わないことにより、処理の負荷を低減することが可能となる。
【００２４】
本発明の第９の態様に係る通信システムは、第１〜第８のいずれか一つの態様に係る通信システムにおいて特に、前記第２の基地局は前記第１のセルを検知し、前記第２の基地局によって検知された前記第１のセルに関する識別情報と、前記第２の基地局に関する識別情報と、前記第２の基地局へのアクセスが許可されている移動端末に関する識別情報とが、前記第２の基地局から前記管理サーバに送信されることにより、前記管理サーバは前記対応関係情報を作成することを特徴とするものである。
【００２５】
第９の態様に係る通信システムによれば、第２の基地局は第１のセルを検知し、第２の基地局によって検知された第１のセルに関する識別情報と、第２の基地局に関する識別情報と、第２の基地局へのアクセスが許可されている移動端末に関する識別情報とが、第２の基地局から管理サーバに送信されることにより、管理サーバは対応関係情報を作成する。このように、対応関係情報の作成を自動化することにより、オペレータによる各種情報の入力作業が不要となるため、誤入力を回避できるとともに、オペレータの作業負担を軽減することが可能となる。
【００２６】
本発明の第１０の態様に係る通信システムは、第１〜第８のいずれか一つの態様に係る通信システムにおいて特に、前記第２の基地局の設置場所に関する位置情報に基づいて前記第１の基地局が特定され、前記位置情報に基づいて特定された前記第１の基地局に関する識別情報と、前記第２の基地局に関する識別情報と、前記第２の基地局へのアクセスが許可されている移動端末に関する識別情報と、に基づいて、前記対応関係情報が作成されることを特徴とするものである。
【００２７】
第１０の態様に係る通信システムによれば、第２の基地局の設置場所に関する位置情報に基づいて第１の基地局が特定され、位置情報に基づいて特定された第１の基地局に関する識別情報と、第２の基地局に関する識別情報と、第２の基地局へのアクセスが許可されている移動端末に関する識別情報と、に基づいて、対応関係情報が作成される。このように、契約時にユーザから申請された住所情報や移動端末の識別情報等をオペレータが入力することによっても、対応関係情報を作成することができる。これにより、対応関係情報の作成を自動化するための設備や処理が不要となるため、システム構成の簡略化を図ることが可能となる。
【００２８】
本発明の第１１の態様に係る制御装置は、第１のセルを通信エリアとする第１の基地局と、前記第１のセルとの間でハンドオーバが可能な第２のセルを通信エリアとする第２の基地局と、を備える通信システムに用いられる制御装置であって、前記第１のセルの周辺セルに関する情報を記述した周辺セルリストを保持する保持手段と、前記第２の基地局へのアクセスが許可されている移動端末が前記第１のセル内に在圏しているか否かに関する情報に基づいて作成された、前記周辺セルリストの編集情報を受信する受信手段と、前記編集情報に基づいて前記周辺セルリストを編集する編集手段と、前記編集手段によって編集された前記周辺セルリストを、前記第１の基地局に対して送信する送信手段と、を備えることを特徴とするものである。
【００２９】
第１１の態様に係る制御装置によれば、受信手段は、第２の基地局へのアクセスが許可されている移動端末が第１のセル内に在圏しているか否かに関する情報に基づいて作成さ
れた、周辺セルリストの編集情報を受信する。そして、編集手段は、受信した編集情報に基づいて周辺セルリストを編集する。このように、制御装置によって周辺セルリストを必要に応じて編集することにより、マクロセルからハンドオーバされる可能性が高いフェムトセルを優先的に周辺セルリストに記述することができるため、マクロセルからフェムトセルへの迅速なハンドオーバを実現することが可能となる。
【００３０】
本発明の第１２の態様に係る管理サーバは、第１のセルを通信エリアとする第１の基地局と、前記第１のセルとの間でハンドオーバが可能な第２のセルを通信エリアとする第２の基地局と、前記第１のセルの周辺セルに関する情報を記述した周辺セルリストを保持する制御装置と、を備える通信システムに用いられる管理サーバであって、前記第１の基地局に関する識別情報と、前記第２の基地局に関する識別情報と、前記第２の基地局へのアクセスが許可されている移動端末に関する識別情報との対応関係を示す対応関係情報を保持する保持手段と、前記第２の基地局へのアクセスが許可されている移動端末が前記第１のセル内に在圏しているか否かに関する情報を受信する受信手段と、前記受信手段によって受信した前記情報に基づいて、前記対応関係情報を編集するとともに、前記周辺セルリストの編集情報を作成する編集手段と、前記編集手段によって作成された前記編集情報を前記制御装置に対して送信する送信手段と、を備えることを特徴とするものである。
【００３１】
第１２の態様に係る管理サーバによれば、受信手段は、第２の基地局へのアクセスが許可されている移動端末が第１のセル内に在圏しているか否かに関する情報を受信する。そして、編集手段は、受信手段によって受信した情報に基づいて、対応関係情報を編集するとともに、周辺セルリストの編集情報を作成する。また、送信手段は、編集手段によって作成された編集情報を制御装置に対して送信する。従って、編集情報を受信した制御装置は、その受信した編集情報に基づいて周辺セルリストを編集することができる。このように、制御装置によって周辺セルリストを必要に応じて編集することにより、マクロセルからハンドオーバされる可能性が高いフェムトセルを優先的に周辺セルリストに記述することができるため、マクロセルからフェムトセルへの迅速なハンドオーバを実現することが可能となる。
【００３２】
本発明の第１３の態様に係るプログラムは、第１のセルを通信エリアとする第１の基地局と、前記第１のセルとの間でハンドオーバが可能な第２のセルを通信エリアとする第２の基地局と、を備える通信システムに用いられる制御装置に搭載されるコンピュータを、前記第１のセルの周辺セルに関する情報を記述した周辺セルリストを保持する保持手段と、前記第２の基地局へのアクセスが許可されている移動端末が前記第１のセル内に在圏しているか否かに関する情報に基づいて作成された、前記周辺セルリストの編集情報を受信する受信手段と、前記編集情報に基づいて前記周辺セルリストを編集する編集手段と、前記編集手段によって編集された前記周辺セルリストを、前記第１の基地局に対して送信する送信手段と、として機能させることを特徴とするものである。
【００３３】
第１３の態様に係るプログラムによれば、受信手段は、第２の基地局へのアクセスが許可されている移動端末が第１のセル内に在圏しているか否かに関する情報に基づいて作成された、周辺セルリストの編集情報を受信する。そして、編集手段は、受信した編集情報に基づいて周辺セルリストを編集する。このように、制御装置によって周辺セルリストを必要に応じて編集することにより、マクロセルからハンドオーバされる可能性が高いフェムトセルを優先的に周辺セルリストに記述することができるため、マクロセルからフェムトセルへの迅速なハンドオーバを実現することが可能となる。
【００３４】
本発明の第１４の態様に係るプログラムは、第１のセルを通信エリアとする第１の基地局と、前記第１のセルとの間でハンドオーバが可能な第２のセルを通信エリアとする第２の基地局と、前記第１のセルの周辺セルに関する情報を記述した周辺セルリストを保持す
る制御装置と、を備える通信システムに用いられる管理サーバに搭載されるコンピュータを、前記第１の基地局に関する識別情報と、前記第２の基地局に関する識別情報と、前記第２の基地局へのアクセスが許可されている移動端末に関する識別情報との対応関係を示す対応関係情報を保持する保持手段と、前記第２の基地局へのアクセスが許可されている移動端末が前記第１のセル内に在圏しているか否かに関する情報を受信する受信手段と、前記受信手段によって受信した前記情報に基づいて、前記対応関係情報を編集するとともに、前記周辺セルリストの編集情報を作成する編集手段と、前記編集手段によって作成された前記編集情報を前記制御装置に対して送信する送信手段と、として機能させることを特徴とするものである。
【００３５】
第１４の態様に係るプログラムによれば、受信手段は、第２の基地局へのアクセスが許可されている移動端末が第１のセル内に在圏しているか否かに関する情報を受信する。そして、編集手段は、受信手段によって受信した情報に基づいて、対応関係情報を編集するとともに、周辺セルリストの編集情報を作成する。また、送信手段は、編集手段によって作成された編集情報を制御装置に対して送信する。従って、編集情報を受信した制御装置は、その受信した編集情報に基づいて周辺セルリストを編集することができる。このように、制御装置によって周辺セルリストを必要に応じて編集することにより、マクロセルからハンドオーバされる可能性が高いフェムトセルを優先的に周辺セルリストに記述することができるため、マクロセルからフェムトセルへの迅速なハンドオーバを実現することが可能となる。
【００３６】
本発明の第１５の態様に係る通信方法は、第１のセルを通信エリアとする第１の基地局と、前記第１のセルとの間でハンドオーバが可能な第２のセルを通信エリアとする第２の基地局と、を備える通信システムにおける通信方法であって、（Ａ）前記第１の基地局に関する識別情報と、前記第２の基地局に関する識別情報と、前記第２の基地局へのアクセスが許可されている移動端末に関する識別情報との対応関係を示す対応関係情報を保持するステップと、（Ｂ）前記第１のセルの周辺セルに関する情報を記述した周辺セルリストを保持するステップと、（Ｃ）前記第２の基地局へのアクセスが許可されている移動端末が前記第１のセル内に在圏しているか否かに関する情報に基づいて、前記周辺セルリストの編集情報を作成するステップと、（Ｄ）前記編集情報に基づいて、前記ステップ（Ｂ）で保持している前記周辺セルリストを編集するステップと、（Ｅ）前記ステップ（Ｄ）で編集された前記周辺セルリストを、前記第１のセル内に在圏している移動端末に対して報知するステップと、を備えることを特徴とするものである。
【００３７】
第１５の態様に係る通信方法によれば、ステップ（Ｃ）では、第２の基地局へのアクセスが許可されている移動端末が第１のセル内に在圏しているか否かに関する情報に基づいて、周辺セルリストの編集情報が作成される。そして、ステップ（Ｄ）では、編集情報に基づいて周辺セルリストが編集される。このように、周辺セルリストを必要に応じて編集することにより、マクロセルからハンドオーバされる可能性が高いフェムトセルを優先的に周辺セルリストに記述することができるため、マクロセルからフェムトセルへの迅速なハンドオーバを実現することが可能となる。
【発明の効果】
【００３８】
本発明によれば、周辺セルリストを必要に応じて編集することにより、マクロセルからハンドオーバされる可能性が高いフェムトセルを優先的に周辺セルリストに記述することができるため、マクロセルからフェムトセルへの迅速なハンドオーバを実現することが可能となる。
【図面の簡単な説明】
【００３９】
【図１】本発明の実施の形態に係る通信システムの全体構成を概略的に示す図である。
【図２】制御装置に搭載されているコンピュータの構成を示すブロック図である。
【図３】制御装置に搭載されているコンピュータの機能構成を示すブロック図である。
【図４】周辺セルリストの一例を示す図である。
【図５】管理サーバに搭載されているコンピュータの構成を示すブロック図である。
【図６】管理サーバに搭載されているコンピュータの機能構成を示すブロック図である。
【図７】対応関係情報の一例を示す図である。
【図８】本実施の形態に係る通信システムにおける処理フローに関する第１の例を示す図である。
【図９】本実施の形態に係る通信システムにおける処理フローに関する第２の例を示す図である。
【図１０】本実施の形態に係る通信システムにおける処理フローに関する第３の例を示す図である。
【図１１】本実施の形態に係る通信システムにおける処理フローに関する第４の例を示す図である。
【図１２】本実施の形態に係る通信システム１における処理フローに関する第５の例を示す図である。
【図１３】対応関係情報の作成フローに関する第１の例を示す図である。
【図１４】対応関係情報の作成フローに関する第２の例を示す図である。
【発明を実施するための形態】
【００４０】
以下、本発明の実施の形態について、図面を用いて詳細に説明する。なお、異なる図面において同一の符号を付した要素は、同一又は相応する要素を示すものとする。
【００４１】
図１は、本発明の実施の形態に係る通信システム１の全体構成を概略的に示す図である。小型基地局２は、屋内（例えばユーザの自宅内）に設置されている。小型基地局２は、半径が数メートルないし数十メートル程度の極小セルを通信エリアとする。以下、本明細書においては、小型基地局の通信エリアを「フェムトセル」と称し、小型基地局を「フェムトセル基地局」と称する。図１を参照して、フェムトセル基地局２の周囲には、フェムトセル基地局２の通信エリアであるフェムトセル１２が規定される。マクロセル基地局１１は、例えば屋外に設置されている。マクロセル基地局１１の周囲には、マクロセル基地局１１の通信エリアであるマクロセル１３が規定される。
【００４２】
図１に示した例では、フェムトセル１２はマクロセル１３内に含まれている。従って、フェムトセル１２内に位置する携帯電話等の移動端末１４は、フェムトセル基地局２のアンテナ２Ａとの間で電波の送受信を行うことが可能であるとともに、マクロセル基地局１１のアンテナ１１Ａとの間で電波の送受信を行うことも可能である。これにより、フェムトセル１２とマクロセル１３との相互間でハンドオーバを行うことが可能となる。但し、フェムトセル１２がマクロセル１３内に含まれている場合のみならず、フェムトセル１２がマクロセル１３に隣接していても良く、この場合にもフェムトセル１２とマクロセル１３との相互間でのハンドオーバを行うことが可能となる。
【００４３】
また、フェムトセル基地局２は、マクロセル基地局１１からの送信電波を受信することが可能である。以下の説明では、移動端末１４は、フェムトセル基地局２の正規ユーザが有する携帯電話であるものとする。この場合、移動端末１４に関する電話番号又はＩＭＳＩ（International Mobile Subscriber Identity）等の固有識別情報がフェムトセル基地局２に登録されることにより、移動端末１４からフェムトセル基地局２へのアクセスが許可されている。
【００４４】
マクロセル基地局１１は、通信回線１０を介して、移動体通信事業者が有する移動体通
信網７に接続されている。フェムトセル基地局２は、光ファイバ又はメタルケーブル等の有線通信回線４を終端する終端装置３に接続されている。終端装置３は、屋内に設置されて屋外の有線通信回線４を終端する任意の装置であり、例えば、ＯＮＵ（Optical Network Unit）、ＡＤＳＬモデム、ＶＤＳＬモデム、又はダイヤルアップモデム等である。終端装置３は、フェムトセル基地局２と同一の屋内（例えばユーザの自宅内）に設置されている。終端装置３は、有線通信回線４を介して固定通信網５に接続されている。固定通信網５は、固定通信事業者が有する通信網、又は公衆のＩＰ網である。固定通信網５は、ゲートウェイ６を介して移動体通信網７に接続されている。移動体通信網７は、制御装置８及び管理サーバ９を有している。
【００４５】
図２は、制御装置８に搭載されているコンピュータの構成を示すブロック図である。当該コンピュータは、ＣＰＵ等の処理部２０と、半導体メモリ等の記憶部２１と、通信部２２とを備えて構成されている。記憶部２１には、プログラム２３及び周辺セルリスト２４が記憶されている。周辺セルリスト２４には、マクロセル１３の周辺セルに関する情報が記述されている。
【００４６】
図３は、制御装置８に搭載されているコンピュータの機能構成を示すブロック図である。プログラム２３に従って動作することにより、当該コンピュータは、受信部３１、編集部３２、保持部３３、及び送信部３４として機能する。換言すれば、プログラム２３は、当該コンピュータを、受信部３１、編集部３２、保持部３３、及び送信部３４として機能させるためのプログラムである。
【００４７】
保持部３３は、周辺セルリスト２４を保持する。受信部３１は、周辺セルリスト２４を編集するための編集情報を、信号Ｓ１２として管理サーバ９から受信する。信号Ｓ１２は、受信部３１から編集部３２に入力される。また、編集部３２には、周辺セルリスト２４が信号Ｓ１３Ａとして保持部３３から入力される。編集部３２は、編集情報に基づいて周辺セルリスト２４を編集する。編集部３２によって編集された周辺セルリスト２４は、信号Ｓ１３Ｂとして編集部３２から保持部３３に入力される。これにより、保持部３３が保持している周辺セルリスト２４が更新される。また、信号Ｓ１３Ｂは、編集部３２から送信部３４に入力される。送信部３４は、信号Ｓ１３Ｂをマクロセル基地局１１に対して送信する。
【００４８】
図４は、周辺セルリスト２４の一例を示す図である。周辺セルリスト２４には、マクロセル１３の周辺セルに関する情報として、周辺セルのセルＩＤが記述されている。ここで、周辺セルリスト２４に記述できる周辺セルの数には、一定の上限値（この例では２５６個）が定められている。
【００４９】
図５は、管理サーバ９に搭載されているコンピュータの構成を示すブロック図である。当該コンピュータは、ＣＰＵ等の処理部４０と、半導体メモリ等の記憶部４１と、通信部４２とを備えて構成されている。記憶部４１には、プログラム４３及び対応関係情報４４が記憶されている。対応関係情報４４には、マクロセル基地局１１に関する識別情報と、フェムトセル基地局２に関する識別情報と、フェムトセル基地局２へのアクセスが許可されている移動端末１４に関する識別情報との対応関係が記述されている。
【００５０】
図６は、管理サーバ９に搭載されているコンピュータの機能構成を示すブロック図である。プログラム４３に従って動作することにより、当該コンピュータは、受信部５１、編集部５２、保持部５３、及び送信部５４として機能する。換言すれば、プログラム４３は、当該コンピュータを、受信部５１、編集部５２、保持部５３、及び送信部５４として機能させるためのプログラムである。
【００５１】
保持部５３は、対応関係情報４４を保持する。受信部５１は、フェムトセル基地局２に関する識別情報と、フェムトセル基地局２へのアクセスが許可されている移動端末１４に関する識別情報と、フェムトセル基地局２の電源状態に関する情報とを、信号Ｓ２１としてフェムトセル基地局２から受信する。また、受信部５１は、マクロセル１３内に在圏している移動端末に関する識別情報を、信号Ｓ２２としてマクロセル基地局１１から受信する。信号Ｓ２１，Ｓ２２は、受信部５１から編集部５２に入力される。また、編集部５２には、対応関係情報４４が信号Ｓ２３Ａとして保持部５３から入力される。編集部５２は、信号Ｓ２１，Ｓ２２に基づいて対応関係情報４４を編集する。編集部５２によって編集された対応関係情報４４は、信号Ｓ２３Ｂとして編集部５２から保持部５３に入力される。これにより、保持部５３が保持している対応関係情報４４が更新される。また、編集部５２は、信号Ｓ２１，Ｓ２２に基づいて、制御装置８において周辺セルリスト２４を編集するための編集情報を作成する。当該編集情報は、信号Ｓ１２として編集部５２から送信部５４に入力される。送信部５４は、信号Ｓ１２を制御装置８に対して送信する。
【００５２】
図７は、対応関係情報４４の一例を示す図である。対応関係情報４４には、有効又は無効を示すフラグ情報と、フェムトセル基地局情報と、移動端末情報と、マクロセル基地局情報とが記述されている。フェムトセル基地局情報には、フェムトセル基地局に関する識別情報（以下「フェムトセル基地局ＩＤ」と称す）と、各フェムトセル基地局の電源状態を示すフラグ情報とが含まれる。移動端末情報には、移動端末に関する識別情報（以下「移動端末ＩＤ」と称す）と、各移動端末がマクロセル内に在圏しているか否かの在圏状態を示すフラグ情報とが含まれる。マクロセル基地局情報には、マクロセル基地局に関する識別情報（以下「マクロセル基地局ＩＤ」と称す）が含まれる。
【００５３】
例えば、フェムトセル基地局ＩＤが「７７７」であるフェムトセル基地局の電源状態は「オン」である。また、フェムトセル基地局ＩＤが「７７７」であるフェムトセル基地局へのアクセスが許可されている移動端末としては、移動端末ＩＤが「１１１」「２２２」「３３３」である移動端末が登録されている。また、フェムトセル基地局ＩＤが「７７７」であるフェムトセル基地局は、マクロセル基地局ＩＤが「４４４４」であるマクロセル基地局の周辺セルである。また、移動端末ＩＤが「１１１」である移動端末は、マクロセル基地局ＩＤが「４４４４」であるマクロセル基地局のマクロセル内に在圏しており、移動端末ＩＤが「２２２」「３３３」である移動端末は、マクロセル基地局ＩＤが「４４４４」であるマクロセル基地局のマクロセル内に在圏していない。
【００５４】
フェムトセル基地局の電源状態がオンであり、かつ、少なくとも一つの移動端末がマクロセル内に在圏している場合に、有効又は無効を示すフラグ情報は「有効」となる。また、フェムトセル基地局の電源状態がオフであり、又は、全ての移動端末がマクロセル内に在圏していない場合に、有効又は無効を示すフラグ情報は「無効」となる。
【００５５】
フェムトセル基地局ＩＤが「７７７」であるフェムトセル基地局の電源状態は「オン」であり、また、移動端末ＩＤが「１１１」である移動端末は、マクロセル基地局ＩＤが「４４４４」であるマクロセル基地局のマクロセル内に在圏している。従って、フェムトセル基地局ＩＤが「７７７」であるフェムトセル基地局に関しては、有効又は無効を示すフラグ情報は「有効」となっている。この場合、フェムトセル基地局ＩＤが「７７７」であるフェムトセル基地局は、マクロセル基地局ＩＤが「４４４４」であるマクロセル基地局から報知される周辺セルリスト内に含まれる。
【００５６】
フェムトセル基地局ＩＤが「８８８」であるフェムトセル基地局の電源状態は「オフ」である。従って、フェムトセル基地局ＩＤが「８８８」であるフェムトセル基地局に関しては、有効又は無効を示すフラグ情報は「無効」となっている。この場合、フェムトセル基地局ＩＤが「８８８」であるフェムトセル基地局は、マクロセル基地局ＩＤが「１２３
４」「５６７８」「００００」であるマクロセル基地局から報知される周辺セルリスト内に含まれない。
【００５７】
フェムトセル基地局ＩＤが「９９９」であるフェムトセル基地局の電源状態は「オン」であるが、移動端末ＩＤが「６５４」「１３５」である移動端末は、マクロセル基地局ＩＤが「２２２２」「３３３３」であるマクロセル基地局のマクロセル内に在圏していない。従って、フェムトセル基地局ＩＤが「９９９」であるフェムトセル基地局に関しては、有効又は無効を示すフラグ情報は「無効」となっている。この場合、フェムトセル基地局ＩＤが「９９９」であるフェムトセル基地局は、マクロセル基地局ＩＤが「２２２２」「３３３３」であるマクロセル基地局から報知される周辺セルリスト内に含まれない。
【００５８】
図８は、本実施の形態に係る通信システム１における処理フローに関する第１の例を示す図である。ここでは、マクロセル基地局１１から送信される周辺セルリスト２４に空き枠が存在している状況において、移動端末１４がマクロセル１３の圏外から圏内に進入した場合の例を示している。移動端末１４がマクロセル１３の圏外から圏内に移動すると、位置登録要求に関する所定のメッセージが、信号Ｓ１０１として移動端末１４からマクロセル基地局１１に対して送信される。
【００５９】
信号Ｓ１０１を受信したマクロセル基地局１１は、位置登録応答に関する所定のメッセージを、信号Ｓ１０２として移動端末１４に対して送信する。また、マクロセル基地局１１は、移動端末１４がマクロセル１３内に在圏したことを示す所定のメッセージを、信号Ｓ１０３（図６の信号Ｓ２２に相当する）として管理サーバ９に対して送信する。
【００６０】
信号Ｓ１０３を受信した管理サーバ９は、ステップＰ１１において対応関係情報４４を編集する。具体的に編集部５２は、マクロセル基地局１１のマクロセル基地局ＩＤ及び移動端末１４の移動端末ＩＤに基づいて対応関係情報４４内の対象項目を特定することにより、移動端末１４がマクロセル１３内に在圏しているか否かの在圏状態を示すフラグ情報を、圏外を示す「×」から圏内を示す「○」に変更する。
【００６１】
次にステップＰ１２において管理サーバ９は、周辺セルリストに登録されていないフェムトセル基地局が存在するか否かを判定する。具体的に編集部５２は、マクロセル基地局のマクロセル基地局ＩＤ及びフェムトセル基地局２のフェムトセル基地局ＩＤに基づいて対応関係情報４４内の対象項目を特定することにより、フェムトセル基地局２に対応する有効又は無効を示すフラグ情報が、「有効」及び「無効」のいずれに設定されているかを確認する。編集部５２は、当該フラグ情報が「有効」に設定されている場合には、マクロセル基地局１１に対応する周辺セルリスト２４にフェムトセル基地局２が既に登録されていると判定する。一方、当該フラグ情報が「無効」に設定されている場合には、マクロセル基地局１１に対応する周辺セルリスト２４にフェムトセル基地局２が登録されていないと判定する。
【００６２】
フェムトセル基地局２が既に登録されている場合（つまりステップＰ１２における判定結果が「ＮＯ」である場合）は、管理サーバ９は、周辺セルリスト２４の編集に関する処理を行わない。
【００６３】
一方、フェムトセル基地局２が登録されていない場合（つまりステップＰ１２における判定結果が「ＹＥＳ」である場合）は、次にステップＰ１３において管理サーバ９は、対応関係情報４４を編集する。具体的に編集部５２は、マクロセル基地局１１のマクロセル基地局ＩＤに基づいて対応関係情報４４内の対象項目を特定することにより、マクロセル基地局１１に対応する有効又は無効を示すフラグ情報を、「無効」から「有効」に変更する。
【００６４】
また、管理サーバ９は、周辺セルリスト２４へのフェムトセル基地局２の追加を指示するための編集情報を作成し、当該編集情報を信号Ｓ１０４（図３，６の信号Ｓ１２に相当する）として制御装置８に対して送信する。
【００６５】
信号Ｓ１０４を受信した制御装置８は、ステップＰ１４において、フェムトセル基地局２に関する識別情報（例えばフェムトセル１２のセルＩＤ）を、マクロセル基地局１１に対応する周辺セルリスト２４に追加する。
【００６６】
編集後の周辺セルリスト２４は、信号Ｓ１０５（図３の信号Ｓ１３Ｂに相当する）として制御装置８からマクロセル基地局１１に対して送信される。
【００６７】
信号Ｓ１０５を受信したマクロセル基地局１１は、編集後の周辺セルリスト２４に関する信号Ｓ１０６を、ＢＣＨ（Broadcast Channel）等の共通チャネルを用いてブロードキャスト送信する。これにより、移動端末１４は、フェムトセル基地局２に関する識別情報を含む周辺セルリスト２４を受信する。
【００６８】
図９は、本実施の形態に係る通信システム１における処理フローに関する第２の例を示す図である。ここでは、マクロセル基地局１１から送信される周辺セルリスト２４に空き枠が存在していない状況において、移動端末１４がマクロセル１３の圏外から圏内に進入した場合の例を示している。移動端末１４がマクロセル１３の圏外から圏内に移動すると、位置登録要求に関する所定のメッセージが、信号Ｓ１０１として移動端末１４からマクロセル基地局１１に対して送信される。
【００６９】
信号Ｓ１０１を受信したマクロセル基地局１１は、位置登録応答に関する所定のメッセージを、信号Ｓ１０２として移動端末１４に対して送信する。また、マクロセル基地局１１は、移動端末１４がマクロセル１３内に在圏したことを示す所定のメッセージを、信号Ｓ１０３（図６の信号Ｓ２２に相当する）として管理サーバ９に対して送信する。
【００７０】
信号Ｓ１０３を受信した管理サーバ９は、ステップＰ１１において対応関係情報４４を編集する。具体的に編集部５２は、マクロセル基地局１１のマクロセル基地局ＩＤ及び移動端末１４の移動端末ＩＤに基づいて対応関係情報４４内の対象項目を特定することにより、移動端末１４がマクロセル１３内に在圏しているか否かの在圏状態を示すフラグ情報を、圏外を示す「×」から圏内を示す「○」に変更する。
【００７１】
次にステップＰ１２において管理サーバ９は、周辺セルリストに登録されていないフェムトセル基地局が存在するか否かを判定する。具体的に編集部５２は、マクロセル基地局１１のマクロセル基地局ＩＤ及びフェムトセル基地局２のフェムトセル基地局ＩＤに基づいて対応関係情報４４内の対象項目を特定することにより、フェムトセル基地局２に対応する有効又は無効を示すフラグ情報が、「有効」及び「無効」のいずれに設定されているかを確認する。編集部５２は、当該フラグ情報が「有効」に設定されている場合には、マクロセル基地局１１に対応する周辺セルリスト２４にフェムトセル基地局２が既に登録されていると判定する。一方、当該フラグ情報が「無効」に設定されている場合には、マクロセル基地局１１に対応する周辺セルリスト２４にフェムトセル基地局２が登録されていないと判定する。
【００７２】
フェムトセル基地局２が既に登録されている場合（つまりステップＰ１２における判定結果が「ＮＯ」である場合）は、管理サーバ９は、周辺セルリスト２４の編集に関する処理を行わない。
【００７３】
一方、フェムトセル基地局２が登録されていない場合（つまりステップＰ１２における判定結果が「ＹＥＳ」である場合）は、管理サーバ９は、所定の制御情報を信号Ｓ１０７としてマクロセル基地局１１に対して送信する。この制御情報には、マクロセル１３の周辺セルとしてフェムトセル１２が存在する旨を示す情報が含まれている。
【００７４】
信号Ｓ１０７を受信したマクロセル基地局１１は、マクロセル１３の周辺セルとしてフェムトセル１２が存在する旨を示す信号Ｓ１０８を、ＤＣＨ（Dedicated Channel）等の移動端末１４とマクロセル基地局１１との間の専用チャネルを用いて送信する。これにより、移動端末１４は、マクロセル１３の周辺セルとしてフェムトセル１２が存在する旨を示す情報を、周辺セルリスト２４とは別に受信する。
【００７５】
図１０は、本実施の形態に係る通信システム１における処理フローに関する第３の例を示す図である。ここでは、マクロセル基地局１１から送信される周辺セルリスト２４にフェムトセル基地局２に関する情報が含まれている状況において、移動端末１４がマクロセル１３の圏内から圏外に退出した場合の例を示している。移動端末１４がマクロセル１３の圏内から圏外に移動すると、マクロセル基地局１１は、移動端末１４から定期的に送信される位置登録要求に関する所定のメッセージを、移動端末１４から受信しなくなる。これにより、マクロセル基地局１１は、移動端末１４がマクロセル１３の圏外に退出したことを検出する。なお、マクロセル基地局１１は、移動体通信網７内のＶＬＲ（Visitor Location Register）を参照することによって、移動端末１４がマクロセル１３の圏外に退出したことを検出することも可能である。
【００７６】
マクロセル基地局１１は、移動端末１４がマクロセル１３の圏外に退出したことを示す所定のメッセージを、信号Ｓ１１０（図６の信号Ｓ２２に相当する）として管理サーバ９に対して送信する。
【００７７】
信号Ｓ１１０を受信した管理サーバ９は、ステップＰ２１において対応関係情報４４を編集する。具体的に編集部５２は、マクロセル基地局１１のマクロセル基地局ＩＤ及び移動端末１４の移動端末ＩＤに基づいて対応関係情報４４内の対象項目を特定することにより、移動端末１４がマクロセル１３内に在圏しているか否かの在圏状態を示すフラグ情報を、圏内を示す「○」から圏外を示す「×」に変更する。
【００７８】
次にステップＰ２２において管理サーバ９は、フェムトセル基地局２が周辺セルリスト２４に登録されているか否かを判定する。具体的に編集部５２は、マクロセル基地局１１のマクロセル基地局ＩＤに基づいて対応関係情報４４内の対象項目を特定することにより、マクロセル基地局１１に対応する有効又は無効を示すフラグ情報が、「有効」及び「無効」のいずれに設定されているかを確認する。編集部５２は、当該フラグ情報が「有効」に設定されている場合には、マクロセル基地局１１に対応する周辺セルリスト２４にフェムトセル基地局２が登録されていると判定する。一方、当該フラグ情報が「無効」に設定されている場合には、マクロセル基地局１１に対応する周辺セルリスト２４にフェムトセル基地局２が登録されていないと判定する。
【００７９】
フェムトセル基地局２が登録されていない場合（つまりステップＰ２２における判定結果が「ＮＯ」である場合）は、管理サーバ９は、周辺セルリスト２４の編集に関する処理を行わない。
【００８０】
一方、フェムトセル基地局２が登録されている場合（つまりステップＰ２２における判定結果が「ＹＥＳ」である場合）は、次にステップＰ２３において管理サーバ９は、対応関係情報４４を編集する。具体的に編集部５２は、フェムトセル基地局２のフェムトセル基地局ＩＤに基づいて対応関係情報４４内の対象項目を特定することにより、フェムトセ
ル基地局２に対応する有効又は無効を示すフラグ情報を、「有効」から「無効」に変更する。
【００８１】
また、管理サーバ９は、周辺セルリスト２４からのフェムトセル基地局２の削除を指示するための編集情報を作成し、当該編集情報を信号Ｓ１１１（図３，６の信号Ｓ１２に相当する）として制御装置８に対して送信する。
【００８２】
信号Ｓ１１１を受信した制御装置８は、ステップＰ２４において、フェムトセル基地局２に関する識別情報（例えばフェムトセル１２のセルＩＤ）を、マクロセル基地局１１に対応する周辺セルリスト２４から削除する。
【００８３】
編集後の周辺セルリスト２４は、信号Ｓ１１２（図３の信号Ｓ１３Ｂに相当する）として制御装置８からマクロセル基地局１１に対して送信される。
【００８４】
信号Ｓ１１２を受信したマクロセル基地局１１は、編集後の周辺セルリスト２４に関する信号Ｓ１０６を、ＢＣＨ等の共通チャネルを用いてブロードキャスト送信する。但し、移動端末１４は、マクロセル１３の圏外に退出しているため、マクロセル基地局１１から周辺セルリスト２４を受信しない。
【００８５】
図１１は、本実施の形態に係る通信システム１における処理フローに関する第４の例を示す図である。ここでは、マクロセル基地局１１から送信される周辺セルリスト２４にフェムトセル基地局２に関する情報が含まれていない状況において、移動端末１４がマクロセル１３の圏内から圏外に退出した場合の例を示している。つまり、移動端末１４が専用チャネルを用いてマクロセル基地局１１から信号Ｓ１０８を受信している状況（図９）において、移動端末１４がマクロセル１３の圏内から圏外に退出した場合の例を示している。
【００８６】
移動端末１４がマクロセル１３の圏内から圏外に移動すると、マクロセル基地局１１は、移動端末１４から定期的に送信される位置登録要求に関する所定のメッセージを、移動端末１４から受信しなくなる。これにより、マクロセル基地局１１は、移動端末１４がマクロセル１３の圏外に退出したことを検出する。なお、マクロセル基地局１１は、移動体通信網７内のＶＬＲを参照することによって、移動端末１４がマクロセル１３の圏外に退出したことを検出することも可能である。
【００８７】
マクロセル基地局１１は、移動端末１４がマクロセル１３の圏外に退出したことを示す所定のメッセージを、信号Ｓ１１０（図６の信号Ｓ２２に相当する）として管理サーバ９に対して送信する。
【００８８】
信号Ｓ１１０を受信した管理サーバ９は、ステップＰ２１において対応関係情報４４を編集する。具体的に編集部５２は、マクロセル基地局１１のマクロセル基地局ＩＤ及び移動端末１４の移動端末ＩＤに基づいて対応関係情報４４内の対象項目を特定することにより、移動端末１４がマクロセル１３内に在圏しているか否かの在圏状態を示すフラグ情報を、圏内を示す「○」から圏外を示す「×」に変更する。また、管理サーバ９は、マクロセル基地局１１への信号Ｓ１０７（図９）の送信を停止する。これにより、専用チャネルを用いたマクロセル基地局１１から移動端末１４への信号Ｓ１０８の送信も停止される。
【００８９】
図１２は、本実施の形態に係る通信システム１における処理フローに関する第５の例を示す図である。ここでは、マクロセル基地局１１から送信される周辺セルリスト２４にフェムトセル基地局２に関する情報が含まれている状況において、移動端末１４がマクロセル１３の圏内からフェムトセル１２の圏内に移動することにより、マクロセル１３からフ
ェムトセル１２へのハンドオーバが成功した場合の例を示している。
【００９０】
マクロセル１３からフェムトセル１２へのハンドオーバが成功すると、その旨を示す所定のメッセージが、信号１２０（図６の信号Ｓ２２に相当する）としてマクロセル基地局１１又はフェムトセル基地局２から管理サーバ９に対して送信される。これにより、管理サーバ９は、移動端末１４によるマクロセル１３からフェムトセル１２へのハンドオーバが成功したことを検出する。なお、管理サーバ９は、移動体通信網７内のＶＬＲを参照することによって、移動端末１４がマクロセル１３からフェムトセル１２へ移動したことを検出することも可能である。
【００９１】
信号Ｓ１２０を受信した管理サーバ９は、ステップＰ３１において対応関係情報４４を編集する。具体的に編集部５２は、マクロセル基地局１１のマクロセル基地局ＩＤ及び移動端末１４の移動端末ＩＤに基づいて対応関係情報４４内の対象項目を特定することにより、移動端末１４がマクロセル１３内に在圏しているか否かの在圏状態を示すフラグ情報を、圏内を示す「○」から圏外を示す「×」に変更する。
【００９２】
次にステップＰ３２において管理サーバ９は、フェムトセル基地局２が周辺セルリスト２４に登録されているか否かを判定する。具体的に編集部５２は、フェムトセル基地局２のフェムトセル基地局ＩＤに基づいて対応関係情報４４内の対象項目を特定することにより、フェムトセル基地局２に対応する有効又は無効を示すフラグ情報が、「有効」及び「無効」のいずれに設定されているかを確認する。編集部５２は、当該フラグ情報が「有効」に設定されている場合には、マクロセル基地局１１に対応する周辺セルリスト２４にフェムトセル基地局２が登録されていると判定する。一方、当該フラグ情報が「無効」に設定されている場合には、マクロセル基地局１１に対応する周辺セルリスト２４にフェムトセル基地局２が登録されていないと判定する。
【００９３】
フェムトセル基地局２が登録されていない場合（つまりステップＰ３２における判定結果が「ＮＯ」である場合）は、管理サーバ９は、周辺セルリスト２４の編集に関する処理を行わない。
【００９４】
一方、フェムトセル基地局２が登録されている場合（つまりステップＰ３２における判定結果が「ＹＥＳ」である場合）は、次にステップＰ３３において管理サーバ９は、対応関係情報４４を編集する。具体的に編集部５２は、フェムトセル基地局２のフェムトセル基地局ＩＤに基づいて対応関係情報４４内の対象項目を特定することにより、フェムトセル基地局２に対応する有効又は無効を示すフラグ情報を、「有効」から「無効」に変更する。
【００９５】
また、管理サーバ９は、周辺セルリスト２４からのフェムトセル基地局２の削除を指示するための編集情報を作成し、当該編集情報を信号Ｓ１２１（図３，６の信号Ｓ１２に相当する）として制御装置８に対して送信する。
【００９６】
信号Ｓ１２１を受信した制御装置８は、ステップＰ３４において、フェムトセル基地局２に関する識別情報（例えばフェムトセル１２のセルＩＤ）を、マクロセル基地局１１に対応する周辺セルリスト２４から削除する。
【００９７】
編集後の周辺セルリスト２４は、信号Ｓ１２２（図３の信号Ｓ１３Ｂに相当する）として制御装置８からマクロセル基地局１１に対して送信される。
【００９８】
信号Ｓ１２２を受信したマクロセル基地局１１は、編集後の周辺セルリスト２４に関する信号Ｓ１０６を、ＢＣＨ等の共通チャネルを用いてブロードキャスト送信する。
【００９９】
なお、図１０，１２においては、フェムトセル基地局２に関する情報を周辺セルリスト２４から削除する例について説明したが、この削除処理は、周辺セルリスト２４に空き枠が存在しない状況において、セル情報を入れ替える必要が生じた場合にのみ行っても良い。つまり、管理サーバ９は、周辺セルリスト２４に記述されている周辺セルの数が上限値であり、かつ、フェムトセル基地局２とは異なるセル（マクロセル又はフェムトセル）に関する情報を周辺セルリスト２４に追加させる場合に、フェムトセル基地局２に関する情報を周辺セルリスト２４から削除させる旨の編集情報を作成する。周辺セルリスト２４に空き枠が存在する場合には、周辺セルリスト２４からのセル情報の削除処理を行わないことにより、処理の負荷を低減することが可能となる。
【０１００】
図１３は、対応関係情報４４の作成フローに関する第１の例を示す図である。まずステップＰ４１において、フェムトセル基地局２の電源がユーザによってオンされる。すると、フェムトセル基地局２の電源がオンされたことを示す情報が、信号Ｓ１３０としてフェムトセル基地局２から管理サーバ９に対して送信される。信号Ｓ１３０には、フェムトセル基地局２のフェムトセル基地局ＩＤ及びフェムトセル１２のセルＩＤに関する情報と、フェムトセル基地局２へのアクセスが許可されている移動端末１４に関する情報とが含まれる。
【０１０１】
次にステップＰ４２において管理サーバ９は、フェムトセル基地局２に関する情報が対応関係情報４４に既に登録されているか否かを判定する。
【０１０２】
フェムトセル基地局２に関する情報が未登録である場合（つまりステップＰ４２における判定結果が「ＮＯ」である場合）は、セルサーチの実行命令が、信号Ｓ１３１として管理サーバ９からフェムトセル基地局２に対して送信される。
【０１０３】
信号Ｓ１３１を受信したフェムトセル基地局２は、ステップＰ４３においてセルサーチを実行することにより、フェムトセル基地局２の周辺に存在するマクロセル１３をサーチする。セルサーチの結果は、信号Ｓ１３２としてフェムトセル基地局２から管理サーバ９に対して送信される。信号Ｓ１３２には、検知されたマクロセル基地局１１のマクロセル基地局ＩＤ及びマクロセル１３のセルＩＤに関する情報が含まれる。
【０１０４】
信号Ｓ１３２を受信した管理サーバ９は、ステップＰ４４において、マクロセル基地局１１に関する識別情報と、フェムトセル基地局２に関する識別情報と、フェムトセル基地局２へのアクセスが許可されている移動端末１４に関する識別情報とに基づいて、これらの対応関係を対応関係情報４４に新規登録する。
【０１０５】
ステップＰ４２において、フェムトセル基地局２に関する情報が既登録である場合（つまりステップＰ４２における判定結果が「ＹＥＳ」である場合）は、次にステップＰ４５において管理サーバ９は対応関係情報４４を編集する。具体的に編集部５２は、フェムトセル基地局２のフェムトセル基地局ＩＤに基づいて対応関係情報４４内の対象項目を特定することにより、フェムトセル基地局２の電源状態を示すフラグ情報を、「オフ」から「オン」に変更する。
【０１０６】
このように、対応関係情報４４の作成を自動化することにより、オペレータによる各種情報の入力作業が不要となるため、誤入力を回避できるとともに、オペレータの作業負担を軽減することが可能となる。
【０１０７】
なお、図１３では、新規ユーザのフェムトセル基地局２に関する対応関係情報４４が管理サーバ９において自動生成される例について説明したが、オペレータによる管理サーバ
９の操作入力によって新規登録を行うこともできる。フェムトセル基地局２の購入時には、フェムトセル基地局２の設置場所に関する位置情報（例えば住所情報）と、フェムトセル基地局２へのアクセスを許可する移動端末１４に関する識別情報とが、ユーザによって申請されている。マクロセル基地局の設置場所は移動体通信事業者が把握しているため、フェムトセル基地局２の設置場所に関する位置情報に基づいて、フェムトセル基地局２の周辺セルとなり得るマクロセル１３を特定することができる。管理サーバ９を操作するオペレータは、これらの情報に基づいて、マクロセル基地局１１に関する識別情報と、フェムトセル基地局２に関する識別情報と、フェムトセル基地局２へのアクセスが許可されている移動端末１４に関する識別情報との対応関係を、対応関係情報４４に新規登録する。
【０１０８】
このように、契約時にユーザから申請された住所情報や移動端末の識別情報等をオペレータが入力することによっても、対応関係情報４４を作成することができる。これにより、対応関係情報４４の作成を自動化するための設備や処理が不要となるため、システム構成の簡略化を図ることが可能となる。
【０１０９】
図１４は、対応関係情報４４の作成フローに関する第２の例を示す図である。まずステップＰ５１において、フェムトセル基地局２の電源がユーザによってオフされる。すると、フェムトセル基地局２の電源がオフされたことを示す情報が、信号Ｓ１４０としてフェムトセル基地局２から管理サーバ９に対して送信される。
【０１１０】
信号Ｓ１４０を受信した管理サーバ９は、ステップＰ５２において対応関係情報４４を編集する。具体的に編集部５２は、フェムトセル基地局２のフェムトセル基地局ＩＤに基づいて対応関係情報４４内の対象項目を特定することにより、フェムトセル基地局２の電源状態を示すフラグ情報を、「オン」から「オフ」に変更する。
【０１１１】
このように本実施の形態に係る通信システム１によれば、管理サーバ９は、フェムトセル基地局２へのアクセスが許可されている移動端末１４がマクロセル１３内に在圏しているか否かに関する情報に基づいて、周辺セルリスト２４の編集情報を作成する。そして、制御装置８は、編集情報に基づいて周辺セルリスト２４を編集する。このように、制御装置８によって周辺セルリスト２４を必要に応じて編集することにより、マクロセル１３からハンドオーバされる可能性が高いフェムトセル１２を優先的に周辺セルリスト２４に記述することができるため、マクロセル１３からフェムトセル１２への迅速なハンドオーバを実現することが可能となる。
【０１１２】
また、本実施の形態に係る通信システム１によれば、管理サーバ９は、フェムトセル基地局２へのアクセスが許可されている移動端末１４がマクロセル１３内に在圏しているか否かに関する情報のみならず、フェムトセル基地局２の電源状態に関する情報をも参照することにより、編集情報を作成する。従って、電源がオフ状態のフェムトセル基地局２に関する情報が周辺セルリスト２４に記述されることを回避することが可能となる。
【０１１３】
また、本実施の形態に係る通信システム１によれば、管理サーバ９は、フェムトセル基地局２へのアクセスが許可されている移動端末１４がマクロセル１３内に在圏しており、かつ、周辺セルリスト２４にフェムトセル１２に関する情報が含まれていない場合には、フェムトセル１２に関する情報を周辺セルリスト２４に追加させる旨の編集情報を作成する。従って、マクロセル１３からハンドオーバされる可能性が高いフェムトセル１２に関する情報を、優先的に周辺セルリスト２４に記述することが可能となる。
【０１１４】
また、本実施の形態に係る通信システム１によれば、管理サーバ９は、周辺セルリスト２４に記述されている周辺セルの数が上限値未満である場合に、フェムトセル１２に関する情報を周辺セルリスト２４に追加させる旨の編集情報を作成する。周辺セルリスト２４
に空き枠が無くなるまでは周辺セルに関する情報を単純に追加していくことにより、処理の単純化を図ることが可能となる。
【０１１５】
また、本実施の形態に係る通信システム１によれば、周辺セルリスト２４に記述されている周辺セルの数が上限値である場合は、マクロセル基地局１１は、マクロセル１３の周辺セルとしてフェムトセル１２が存在する旨を示す情報を、フェムトセル基地局２へのアクセスが許可されている移動端末１４に対して、専用チャネルを用いて送信する。従って、周辺セルリスト２４に空き枠が無い場合であっても、専用チャネルを用いることにより、マクロセル１３の周辺セルとしてフェムトセル１２が存在する旨を、マクロセル基地局１１に報知することが可能となる。
【０１１６】
また、本実施の形態に係る通信システム１によれば、管理サーバ９は、フェムトセル基地局２へのアクセスが許可されている移動端末１４がマクロセル１３内に在圏しておらず、かつ、周辺セルリスト２４にフェムトセル１２に関する情報が含まれている場合には、フェムトセル１２に関する情報を周辺セルリスト２４から削除させる旨の編集情報を作成する。このように、マクロセル１３からハンドオーバされる可能性が低いフェムトセル１２に関する情報を周辺セルリスト２４から削除することにより、周辺セルリスト２４に空き枠を確保することが可能となる。
【０１１７】
また、本実施の形態に係る通信システム１によれば、管理サーバ９は、フェムトセル基地局２へのアクセスが許可されている移動端末１４によるマクロセル１３からフェムトセル１２へのハンドオーバが成功し、かつ、周辺セルリスト２４にフェムトセル１２に関する情報が含まれている場合には、フェムトセル１２に関する情報を周辺セルリスト２４から削除させる旨の編集情報を作成する。このように、マクロセル１３からフェムトセル１２へのハンドオーバがすでに成功した結果、マクロセル１３からハンドオーバされる可能性が低くなったフェムトセル１２に関する情報を、周辺セルリスト２４から削除することにより、周辺セルリスト２４に空き枠を確保することが可能となる。
【０１１８】
また、本実施の形態に係る通信システム１によれば、管理サーバ９は、周辺セルリスト２４に記述されている周辺セルの数が上限値であり、かつ、フェムトセル１２とは異なるセルに関する情報を周辺セルリスト２４に追加させる場合に、フェムトセル１２に関する情報を周辺セルリスト２４から削除させる旨の編集情報を作成する。従って、周辺セルリスト２４に空き枠が存在する場合には、周辺セルリスト２４からのセル情報の削除処理を行わないことにより、処理の負荷を低減することが可能となる。
【０１１９】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【０１２０】
１  通信システム
２  フェムトセル基地局
８  制御装置
９  管理サーバ
１１  マクロセル基地局
１４  移動端末
２３，４３  プログラム
２４  周辺セルリスト
３１，５１  受信部
３２，５２  編集部
３３，５３  保持部
３４，５４  送信部
４４  対応関係情報
【図１】
2011091629.tif 000003
【図２】
2011091629.tif 000004
【図３】
2011091629.tif 000005
【図４】
2011091629.tif 000006
【図５】
2011091629.tif 000007
【図６】
2011091629.tif 000008
【図７】
2011091629.tif 000009
【図８】
2011091629.tif 000010
【図９】
2011091629.tif 000011
【図１０】
2011091629.tif 000012
【図１１】
2011091629.tif 000013
【図１２】
2011091629.tif 000014
【図１３】
2011091629.tif 000015
【図１４】
2011091629.tif 000016